(57)【特許請求の範囲】
【請求項１】
サービス制御ポイント（ＳＣＰ）と外部インテリジェント周辺装置（ＩＰ）との間でサービス切り換えポイント（ＳＳＰ）を介して通信する方法であって、
ＳＣＰとＳＳＰとの間に音声パス接続を確立するステップと、
外部ＩＰでＩＰ資源にアクセスするためのパスを設定するために、ＳＣＰからＳＳＰに資源への接続要求（ｃｏｎｎｅｃｔ  ｔｏ  ｒｅｓｏｕｒｃｅ  ｒｅｑｕｅｓｔ，ＣＴＲ）を送信するステップと、
パスを設定するために、ＳＳＰから外部ＩＰに初期アドレスメッセージ（ｉｎｉｔｉａｌ  ａｄｄｒｅｓｓ  ｍｅｓｓａｇｅ，ＩＡＭ）を送信するステップと、該ＣＴＲのＩＰルーティングアドレスのアドレス数字は、ＩＡＭ内の被呼者番号にマッピングされ、
外部ＩＰからアドレス完了メッセージ（ａｄｄｒｅｓｓ  ｃｏｍｐｌｅｔｅ，ＡＣＭ）を戻すステップと、そしてＳＳＰと外部ＩＰとの間に第２の音声パスを確立し、
アナウンスメントを再生するために、ＳＣＰから外部ＩＰにプレイアナウンスメント（ＰＡ）メッセージを送信するステップと、
インテリジェントネットワークアプリケーションパート（ＩＮＡＰ）操作を復号化せずに、ＳＳＰからＩＮＡＰ操作ＰＡをパスアロングメッセージ（ＰＡＭ）にコピーして、このＰＡＭを外部ＩＰに送るステップと、
外部ＩＰによりＰＡＭを復号化し、プレイアナウンスメント操作を処理するステップと、
外部ＩＰからＳＳＰに別のＰＡＭで特別資源レポート（ＳＲＲ）操作を送るステップと、
ＳＳＰにより別のＰＡＭからＳＲＲを抽出し、このＳＲＲを復号化せずにＳＣＰに戻すステップと、
外部ＩＰを切断するために、ＳＣＰからＳＳＰにディスコネクトフォワード接続（ＤＦＣ）を送るステップと、
第２音声パス接続を開放するために、ＳＳＰから外部ＩＰへ開放（ＲＥＬ）メッセージを送信するステップと、
ＳＳＰからのＲＥＬに応答して、外部ＩＰにより第２音声パスを開放するステップと、
開放を確認するために、外部ＩＰにより解放完了（ＲＬＣ）メッセージをＳＳＰに戻すステップとからなることを特徴とするサービス制御ポイント（ＳＣＰ）と外部インテリジェント周辺装置（ＩＰ）との間でサービス切り換えポイント（ＳＳＰ）を介して通信する方法。
【請求項２】
請求項１に記載の方法において、該ＳＣＰにより該音声パスを切断するステップをさらに有することを特徴とする方法。
【請求項３】
請求項２に記載の方法において、該ＩＰは、アンサーメッセージ（ＡＮＭ）とＳＲＲを送信することを特徴とする方法。
【請求項４】
請求項２に記載の方法において、該ＩＡＭのＵＵＩパラメータは、ＳＣＰからの付加情報を含むことを特徴とする方法。
【請求項５】
請求項２に記載の方法において、該ＩＮＡＰ操作は、ＳＣＰとＩＰとの間に直接のリンクがなくてもその間で中継されることを特徴とする方法。
【請求項６】
請求項２に記載の方法において、該ＳＳＰは、ＩＰへの音声パスを設定するために複数の信号処理方法を用いることを特徴とする方法。
【発明の詳細な説明】
【０００１】
【発明の属する技術分野】
本発明は、通信ネットワークに関し、特にインテリジェントネットワークサービス制御ポイント（service control point,ＳＣＰ）にインテリジェントネットワークアプリケーションパート（Intelligent Network Application Part, ＩＮＡＰ）プロトコールを介して接続され、また外部（即ち、スタンドアローン）のインテリジェント周辺装置（Intelligent Peripheral，ＩＰ）にＩＮＡＰあるいはＩＳＵＰ（ＩＳＤＮユーザーパート）プロトコールを介して接続されたインテリジェントネットワークサービス切り換えポイント（service switching point,ＳＳＰ）を有する通信ネットワークに関する。
【０００２】
【従来の技術】
図１において、インテリジェントネットワーク１０内において、ＳＳＰ１２とＳＣＰ１４が外部ＩＰ１６に接続されている状態が示されている。ＳＳＰ１２とＳＣＰ１４が存在することは、ネットワーク１０がインテリジェントネットワーク（intelligent network,ＩＮ）であることを意味し、これにより高級なサービスがネットワークの加入者に利用可能となることを意味している。インテリジェントネットワーク１０においては、外部ＩＰ１６を用いてＩＮ関連機能、例えば音声の再生、ユーザ情報の収集（play announcement and collect user information，ＰＡＣＵＩ）のような機能を実行する。外部ＩＰ１６内の全ての資源は、それらが適宜リンクで結ばれている限りネットワーク内の他のＳＳＰ／交換器（図示せず）と共有される。
【０００３】
図１に示すように、ＳＣＰ１４が外部ＩＰ１６と通信する現在の方法は、ＳＣＰ１４と外部ＩＰ１６の間の直接のＩＮＡＰリンク１８を介して行われる。このような構成は、標準化団体であるＩＴＵ（International Telecommunication Union）とＥＴＳＩ（European telecommunication Standards Institute）の両方で規定されている。
【０００４】
ＩＴＵとＥＴＳＩ標準は、ＳＣＰと外部ＩＰとの間の直接通信リンクが存在しない場合のＳＣＰと外部ＩＰに対する別の構成を規定している。この構成においては、ＳＣＰと外部ＩＰとの間の全てのメッセージは、ＳＣＰと外部ＩＰの両方に接続されているＳＳＰ１２により中継される。このような構成は、ＳＳＰ中継構成と称し、このような構成のＳＳＰは中継ＳＳＰと称する。他のＳＳＰ／交換器は、中継ＳＳＰを介したリンクによりあるいは外部ＩＰとの直接ＩＳＵＰ／ボイストランクを介して外部ＩＰにアクセスすることができる。
【０００５】
【発明が解決しようとする課題】
ＩＴＵとＥＴＳＩ標準は、ＳＳＰ中継構成について規定しているが、ＳＳＰ中継構成ネットワーク内のＳＣＰと外部ＩＰとの間のメッセージの交換を規定した標準は現在の所存在しない。かくして、ＳＣＰ１４と外部ＩＰ１６との間の機能通信を有するＳＳＰ中継構成ネットワークに対するニーズが存在する。同時にまた、ＳＳＰ中継構成ネットワーク内のＳＣＰ１４と外部ＩＰ１６との間で通信を行う方法が求められている。
【０００６】
【課題を解決するための手段】
本発明は、サービス制御ポイント（ＳＣＰ）とサービス切り換えポイント（ＳＳＰ）と外部インテリジェント周辺装置（ＩＰ）との間で通信する方法を提供する。本発明の方法は請求項１に記載した特徴を有する、即ち、サービス制御ポイント（ＳＣＰ）とサービス切り換えポイント（ＳＳＰ）と外部インテリジェント周辺装置（ＩＰ）との間で通信する方法において、ＳＳＰと外部ＩＰとの間に接続を確立するステップと、ＳＳＰとＩＰとの間の接続が存在している間、ＳＳＰとＩＰとの間でパスアロングメッセージ内のインテリジェントネットワークアプリケーションパート（ＩＮＡＰ）操作を転送するステップと、前記パスアロングメッセージ内のＩＮＡＰ操作に応答してＩＰによりＩＮＡＰ操作を実行するステップを有することを特徴とする。
【０００７】
さらに本発明は他の態様によれば、本発明は請求項１４に記載した特徴を有する。即ち、サービス制御ポイント（ＳＣＰ）とサービス切り換えポイント（ＳＳＰ）と外部インテリジェント周辺装置（ＩＰ）との間で通信する方法において、ＳＣＰとＳＳＰとの間に音声パス接続を確立するステップと、外部ＩＰでＩＰ資源にアクセスするためのパスを設定するために、ＳＣＰからＳＳＰに資源への接続要求（ＣＴＲ）を送信するステップと、パスを設定するために、ＳＳＰから外部ＩＰに初期アドレスメッセージ（ＩＡＭ）を送信するステップと、前記ＣＴＲのＩＰルーティングアドレスのアドレス数字はＩＡＭ内の被呼者番号にマッピングされ、外部ＩＰからアドレス完了メッセージ（ＡＣＭ）を戻すステップと、そして第２の音声パスがＳＳＰと外部ＩＰとの間に確立され、アナウンスメントを再生するために、ＳＣＰから外部ＩＰにプレイアナウンスメント（ＰＡ）メッセージを送信するステップと、操作を復号化せずにＳＳＰからＩＮＡＰ操作ＰＡをパスアロングメッセージ（ＰＡＭ）にコピーして、このＰＡＭを外部ＩＰに送るステップと、外部ＩＰによりＰＡＭを復号化し、プレイアナウンスメント操作を処理するステップと、外部ＩＰからＳＳＰに別のＰＡＭでＳＲＲ操作を送るステップと、ＳＳＰにより別のＰＡＭからＳＲＲを抽出し、このＳＲＲを復号化せずにＳＣＰに戻すステップと、外部ＩＰを切断するために、ＳＣＰからＳＳＰにＤＦＣを送るステップと、第２音声パス接続を開放するために、ＳＳＰから外部ＩＰへ開放（ＲＥＬ）メッセージを送信するステップと、ＳＳＰからのＲＥＬに応答して外部ＩＰにより第２音声パスを開放するステップと、開放を確認するために、外部ＩＰにより解放完了（ＲＬＣ）メッセージをＳＳＰに戻すステップとからなることを特徴とする。
【０００８】
【発明の実施の形態】
図２は、本発明による高級ＳＣＰ１４０と高級外部ＩＰ１６０に接続された高級ＳＳＰ１２０を有するネットワーク２００を示す。ネットワーク２００は、図１のネットワークと類似のインテリジェントネットワーク（ＩＮ）システムを具備する公衆通信ネットワークであるが、ただし、ネットワーク２００は高級ＩＮＡＰリンク１３０と高級ＩＳＵＰリンク１５０に対する高級通信機能およびプロトコールを具備する。これらの高級機能およびプロトコールは、ＩＴＵとＥＴＳＩＮＡＰに付加されたものおよびそれと適合性を有するものである。
【０００９】
高級ＳＳＰ１２０と高級外部ＩＰ１６０は、ＩＳＵＰ信号（ＩＴＵブルーブックあるいはホワイトブックのＩＳＵＰ）をサポートし、かつ高級外部ＩＰ１６０と他の同様な信号に対し中継ＳＳＰ信号を通信できる機能を提供する。高級外部ＩＰ１６０は、音声アナウンス、音声認識、ＤＴＭＦデジット収集、トーン生成器等の機能を提供する特別な資源機能（special resource functions，ＳＲＦ）を有する。高級中継ＳＳＰ信号故に高級ＳＣＰ１４０は図１に示すような直接リンクを必要とせずに高級外部ＩＰ１６０のＳＲＦを使用することができる。
【００１０】
図４−６には、高級ＳＣＰ１４０と高級ＳＳＰ１２０と高級外部ＩＰ１６０との間の通信の例が記載されている。本発明の一実施例においては、高級ＳＣＰ１４０と高級外部ＩＰ１６０との間でＩＳＵＰメッセージを用いた高級ＩＳＵＰトランク１５０を介してＩＮＡＰ操作を転送する２つの方法があることが分かる。
【００１１】
１．パスアロングメッセージ（Pass Along Message，ＰＡＭ）内のＩＮＡＰ操作の送信
ＳＳＰとＩＰとの間の接続がある間、ＩＮＡＰ操作はＰＡＭ内を転送される。
【００１２】
パスアロングメッセージ：
このＰＡＭは、２つの信号処理点の間で情報を転送するために何れかの方向に送信することができる。このメッセージのフォーマットは次の通りである。
0004812184.tif 000002
【００１３】
ＩＮＡＰ操作は、メッセージの選択的部分に記憶され、あて先に分配される。現在の所、ＩＮＡＰ操作の長さは２００バイト以下であり、選択的部分はＩＮＡＰ情報を記憶するのに十分である。この高級ＰＡＭは、高級ＳＳＰ１２０および／または高級外部ＩＰ１６０と通信するために、このメッセージに対し新たな目的を追加する。高級ＳＳＰ１２０と高級外部ＩＰ１６０は、このプロトコール領域におけるその高級化故に、プレイアナウンスメント（play announcement，ＰＡ）リクエストとプロンプトアンドコレクトユーザ情報（prompt and collect user information，ＰＣＵＩ）リクエストとリターンレポート（return report，ＲＲ）リクエストと特別資源レポート（specialized resource report，ＳＲＲ）リクエストを高級ＳＣＰ１４０と高級外部ＩＰ１６０の間で転送するために、このメッセージを用いることができる。このような高級機能がない場合には、高級ＳＣＰ１４０はこのようなリクエストを置く場所を有さず、また高級外部ＩＰ１６０はこのようなリクエストを受信する場所を有さない。
【００１４】
２．ＣＰＧメッセージ内のＵＵＩパラメータ内のＩＮＡＰ操作を送る
本発明のこの実施例のソリューションは、高級ＳＳＰ１２０と高級外部ＩＰ１６０との間の接続を維持（ｕｐ）しながら、ＩＮＡＰ操作を両方向に送るために、コールプログレス（Call Progress,ＣＰＧ）メッセージ内のユーザからユーザへの情報（User to User Information，ＵＵＩ）の選択的パラメータを用いる。ＣＰＧメッセージ内のこのパラメータは、３〜１３１バイトのサイズを有する。
【００１５】
呼びが設定された後、高級ＳＳＰ１２０と高級外部ＩＰ１６０はＰＡ／ＰＣＵＩ操作と他のＩＮＡＰ操作をＣＰＧメッセージのＵＵＩパラメータ内に記憶することができる。ＣＰＧは何回も送信することができるために、ＩＮＡＰ操作が１２９バイトを超えて通信された場合には、高級ＳＳＰ１２０と高級外部ＩＰ１６０はこの操作を数個のＣＰＧメッセージにパッケージしてそれらをその後で送ることができる。
【００１６】
以下の例は、ＰＡＭメッセージまたはＣＰＧ／ＵＵＩメッセージまたはその両方を含む。
【００１７】
・ボイスパスが確立され接続がＳＣＰ１４０により開放される（図３）
（１）外部ＩＰ１６０でＩＰ資源にアクセスするためのパスを設定するためにＳＣＰ１４０は資源への接続要求（cennect to resource request,ＣＴＲ）を中継用のリレイＳＳＰ１２０に送る。
（２）ＳＳＰ１２０は、パスを決定するために初期アドレスメセージ（initial address message,ＩＡＭ）をＩＰ１６０に送る。ＣＴＲのＩＰルーティングアドレス内のアドレス数字は、ＩＡＭ内の被呼者番号内にマッピングされる。ＩＡＭ内のＵＵＩパラメータは、ＳＣＰ１４０からの付加情報を含む。
（３）ＩＰ１６０はアドレス完了メッセージ（address complete message，ＡＣＭ）を送り返し、音声パスがＳＳＰ１２０と外部ＩＰ１６０の間で確立される。ＩＰ１６０は、応答メッセージ（answer message，ＡＮＭ）を送る。
（４）ＳＣＰ１４０はＰＡ（playing announcement）用に外部ＩＰ１６０にＰＡを送るかあるいは外部ＩＰ１６０用にＰＣＵＩをプロンプトアンドコレクトユーザ情報に送る。
（５）ＳＳＰ１２０は、操作を復号化することなく、ＰＡＭ／ＣＰＧ（ＵＵＩ）メッセージ内のＩＮＡＰ操作（ＰＡ／ＰＣＵＩ）をコピーし、それをＩＰ１６０に送る。
（６）ＩＰ１６０は、ＰＡＭ／ＣＰＧメッセージを復号化して、ＰＡ／ＰＣＵＩ操作を処理する。
（７）外部ＩＰ１６０は、ＰＡＭ／ＣＰＧメッセージ内のＳＲＲまたはＲＲ操作をＳＳＰ１２０に送る。
（８）ＳＳＰ１２０は、ＰＡＭ／ＣＰＧメッセージからＳＲＲまたはＲＲを取り出して、それらを復号化せずにＳＣＰ１４０に戻す。
（９）ＳＣＰ１４０は、その後ディスコネクトフォワード接続（disconnect forward connection,ＤＦＣ）操作をＳＳＰ１２０に送り外部ＩＰ１６０を切断する。
（１０）ＳＳＰ１２０は、接続を開放するために開放（release,ＲＥＬ）メッセージをＩＰ１６０に送り、ＩＰ１６０が解放完了（release complete，ＲＬＣ）を戻して開放を確認する。音声パスが切断される。
【００１８】
・音声パスが確立され接続が外部ＩＰ１６０により開放される（図４）
（１）外部ＩＰ１６０でＩＰ資源にアクセスするためのパスを設定するためにＳＣＰ１４０は資源への接続要求（ＣＴＲ）を中継用のリレイＳＳＰ１２０に送る。
（２）ＳＳＰ１２０は、パスを決定するために初期アドレスメセージ（ＩＡＭ）をＩＰ１６０に送る。ＣＴＲのＩＰルーティングアドレス内のアドレス数字は、ＩＡＭ内の被呼者番号内にマッピングされる。ＩＡＭ内のＵＵＩパラメータは、ＳＣＰ１４０からの付加情報を含む。
（３）ＩＰ１６０は、アドレス完了メッセージ（ＡＣＭ）を送り返し、音声パスがＳＳＰ１２０と外部ＩＰ１６０の間で確立される。ＩＰ１６０は、応答メッセージ（ＡＮＭ）を送る。
（４）ＳＣＰ１４０は、ＰＡ用に外部ＩＰ１６０にＰＡを送るかあるいは外部ＩＰ１６０用にＰＣＵＩをプロンプトアンドコレクトユーザ情報に送る。
（５）ＳＳＰ１２０は、操作を復号化することなく、ＰＡＭ／ＣＰＧ（ＵＵＩ）メッセージ内のＩＮＡＰ操作（ＰＡ／ＰＣＵＩ）をコピーし、それをＩＰ１６０に送る。
（６）ＩＰ１６０は、ＰＡＭ／ＣＰＧメッセージを復号化して、ＰＡ／ＰＣＵＩ操作を処理する。
（７）ＩＰ１６０は、ＰＡＭ／ＣＰＧメッセージ内のＳＲＲまたはＲＲ操作をＳＳＰ１２０に送る。
（８）ＳＳＰ１２０は、ＰＡＭ／ＣＰＧメッセージからＳＲＲまたはＲＲを取り出して、それらを復号化せずに、ＳＣＰ１４０に戻す。
（９）ＰＡ／ＰＣＵＩ内のＩＰからの切断を禁止するパラメータ（disconnect From IP Forbidden parameter）に基づいて、それ自身を切断することが許されている場合には、全てのアナウンスメント／ディジットの収集が完了した後、外部ＩＰ１６０はＲＥＬメッセージをＳＳＰ１２０に送り、ＳＳＰ１２０と外部ＩＰ１６０との間の接続を開放する。
（１０）  ＳＳＰ１２０は、ＲＬＣを外部ＩＰ１６０に戻し音声パスが切断される。
【００１９】
・ＩＰ１６０がＰＡ／ＰＣＵＩ操作内にエラーを見出しエラーをＳＳＰ１２０に戻す（図５，６）
（１）外部ＩＰ１６０でＩＰ資源にアクセスするためのパスを設定するためにＳＣＰ１４０は資源への接続要求（ＣＴＲ）を中継用のリレイＳＳＰ１２０に送る。
（２）ＳＳＰ１２０は、初期アドレスメセージ（initial address message,ＩＡＭ）を外部ＩＰ１６０に送る（ＵＵＩパラメータはＳＣＰからの付加情報を含む）。
（３）外部ＩＰ１６０は、ＡＣＭ／ＡＮＭを送り返し、音声パスがＳＳＰ１２０と外部ＩＰ１６０の間で確立される。
（４）ＳＣＰ１４０は、ＰＡ用に外部ＩＰ１６０にＰＡを送るかあるいは外部ＩＰ１６０用にＰＣＵＩをプロンプトアンドコレクトユーザ情報に送る。
（５）ＳＳＰ１２０は、操作を復号化することなく、ＰＡＭ／ＣＰＧメッセージ内のＩＮＡＰ操作（ＰＡ／ＰＣＵＩ）をコピーし、それをＩＰ１６０に送る。
（６）外部ＩＰ１６０は、ＰＡＭ／ＣＰＧメッセージを復号化し、ＰＡ／ＰＣＵＩ操作内にエラーを見出す、外部ＩＰ１６０は、関連エラー（例えば、パラメータの喪失）をエラーメッセージ内に入れてそれをＳＳＰ１２０へのＰＡＭ／ＣＰＧメッセージ内に入れる。
（７）ＳＳＰ１２０は、ＰＡＭ／ＣＰＧメッセージを復号化して、エラーメッセージを得て、その後それにふれずにＳＣＰ１４０に送る。
（８）ＳＣＰ１４０は、別のＰＡ／ＰＣＵＩ（図５）を外部ＩＰ１６０に再送信するかあるいは接続を開放する（図６）。
【００２０】
【発明の効果】
上記の実施例において、本発明の高級信号処理およびメッセージ送信機能の本質的な部分を開示した。図２に示すように他のＳＳＰあるいは等価装置（図示せず）が、高級外部ＩＰ１６０に高級ＩＳＵＰ１５０を介して高級信号処理機能およびメッセージ処理機能により通信することができる。同様に他のＳＣＰ（図示せず）は、ＳＳＰ１２０に接続して、本発明の高級ＩＮＡＰ信号処理機能、メッセージ処理機能を用いて高級外部ＩＰ１６０と通信することができる。以上のことは、ＩＴＵとＩＮＡＰ標準と適合性を維持しながら行うことができる。
【００２１】
特許請求の範囲の発明の要件の後に括弧で記載した番号がある場合は本発明の一実施例の態様関係を示すものであって、本発明の範囲を限定するものと解釈してはならない。
【図面の簡単な説明】
【図１】従来技術に係るインテリジェントネットワーク構成を表す図
【図２】本発明によるインテリジェントネットワーク構成を表す図
【図３】本発明の第１実施例による流れ図
【図４】本発明の第２実施例による流れ図
【図５】本発明の第３実施例による流れ図
【図６】本発明の第４実施例による流れ図
【符号の説明】
１０，２００  インテリジェントネットワーク
１２  サービス切り換えポイント（ＳＳＰ）
１４  サービス制御ポイント（ＳＣＰ）
１６  外部インテリジェント周辺装置（ＩＰ）
１８  ＩＮＡＰリンク
１２０  高級ＳＳＰ
１３０  高級ＩＮＡＰリンク
１４０  高級ＳＣＰ
１６０  高級外部ＩＰ
１５０  高級ＩＳＵＰリンク
１６０  外部ＩＰ
【図１】
0004812184.tif 000003
【図２】
0004812184.tif 000004
【図３】
0004812184.tif 000005
【図４】
0004812184.tif 000006
【図５】
0004812184.tif 000007
【図６】
0004812184.tif 000008